(57)【要約】      （修正有）【課題】必要な時に外し易く且つ体の冷えから確実に守ることができる防寒ショーツを提供する。【解決手段】着用者の胴部を周囲から覆う胴体部２と、着用者の下腹部及び臀部を覆うショーツ部１と、が接合されて一体化している伸縮性を有する防寒ショーツＡであって、胴体部２の上端が使用者のアンダーバストに位置するものである防寒ショーツＡ。ショーツ部が前下腹部体１１と後下臀部体１２とからなり、前下腹部体１１と前記後下臀部体１２とが固定手段３により切り離し可能になっている防寒ショーツＡ。【選択図】図３
0003132958.tif 000002
【実用新案登録請求の範囲】
【請求項１】
着用者の胴部を周囲から覆う胴体部と、
着用者の下腹部及び臀部を覆うショーツ部と、が接合されて一体化している伸縮性を有する防寒ショーツであって、前記胴体部の上端が使用者のアンダーバストに位置するものであることを特徴とする防寒ショーツ。  
【請求項２】
前記ショーツ部が前下腹部体と後下臀部体とからなり、
前記前下腹部体と前記後臀部体とが固定手段により切り離し可能になっていることを特徴とする請求項１記載の防寒ショーツ。
【請求項３】
前記後下臀部体が前記前下腹部体よりも長く、後下臀部体の中央先端部と前下腹部体の中央先端部とが、着用者の前面で固定されることを特徴とする請求項２記載の防寒ショーツ。
【請求項４】
前記前下腹部体が着用者の股間を覆う中央カバー体と、該中央カバー体の両側端に接合される鼠径部当接片とからなることを特徴とする請求項１記載の防寒ショーツ。
【請求項５】
前記鼠径部当接片の緩み部と前記後下臀部体の縁で着用者が足を出すためのレッグホールが形成されていることを特徴とする請求項４記載の防寒ショーツ。
【請求項６】
前記胴体部の体側部が内側に湾曲しくびれ部が形成されていることを特徴とする請求項１に記載の防寒ショーツ。  
【請求項７】
前記胴体部を二重の布帛に空間層を形成し、該空間層を前胴体部の空間層と後胴体部の空間層とを連通させて胴体部の共通の空間層とし、且つ前胴体部や後胴体部の上端部は折り返しとしたことを特徴とする請求項１に記載の防寒ショーツ。
【請求項８】
前記固定手段がスナップボタンであることを特徴とする請求項２に記載の防寒ショーツ。
【請求項９】
前記ショーツ部が前下腹部体と後下臀部体とからなり、前記前下腹部体と前記後下腹部とが固定手段により切り離し可能であり、前記後下臀部体が前記前下腹部体よりも長く、後下臀部体の中央先端部と前下腹部体の中央先端部とが、着用者の前面で固定され、後下臀部体の中央先端部に設けられた固定手段の位置から延長するように自由端片が形成されていることを特徴とする請求項１記載の防寒ショーツ。
【請求項１０】
前記自由端片が取り外し自在となっていることを特徴とする請求項１記載の防寒ショーツ。
【請求項１１】
着用者の胴部を周囲から覆う胴体部と、着用者の下腹部及び臀部を覆うショーツ部と、が接合されて一体化している伸縮性を有する防寒ショーツであって、胴体部の体側部が内側に湾曲しくびれ部が形成されており、前記胴体部の上端が使用者のアンダーバストに位置し、前記ショーツ部が前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で前上に取り付けられ、前記鼠径部当接片の緩み部と前記後下臀部体の縁で着用者が足を出すためのレッグホールが形成され、前記胴体部を二重の布帛にして空間層を形成し、該空間層を前胴体部の空間層と後胴体部の空間層とを連通させて胴体部の共通の空間層としていることを特徴とする請求項１記載の防寒ショーツ。
【考案の詳細な説明】
【技術分野】
【０００１】
防寒機能を備えた下着に関する。
【背景技術】
【０００２】
従来、身体が冷えて体温が低下するのを防ぐため種々の防寒衣が上市されている。
特に、重要な腹部を冷やさないためにその上を覆う腹巻は、形がシンプルであることから広く利用されている。
しかし、通常、腹巻の形状は単純な円筒状であるために、腹巻自体が腹部の肌面を滑り易く、着用位置が不安定である。
その結果、起床中、或いは寝床中であっても、着用者の様々な動作に応じて腹巻はずり上がったり、或いは、ずり下がったりして安定した状態が維持できない。
そのため、腹巻が持つ防寒の機能が十分に発揮されないのである。
【０００３】
このような問題を解決するために、既にショーツと腹巻とが接合され、一体化された下着（いわゆる「腹巻きパンツ」）が開発されている（特許文献１、特許文献２参照）。
腹巻がショーツと一体化されたことにより、腹巻のずり上がりが防止されて着用位置が安定し、確実に腹部を保温することができるようになった。
そのため、例えば、母乳を与えるため頻繁に着衣をたくし上げることが多い授乳期の母親等には有用である。
【特許文献１】実用新案登録第３１１０４３６号
【特許文献２】実開平７−９９０４号公報
【考案の開示】
【考案が解決しようとする課題】
【０００４】
しかし、上述した下着を外す必要がある場合、例えば、着用してトイレに行くような場合、腹巻がショーツと一体化しているために非常に脱ぎ難く、その作業が煩わしい。
また、腹巻の部分が短いため、授乳期の母親の場合、授乳時に着衣を乳房の上までたくし上げた場合、バスト下部が露出し冷え易い欠点もある。
本考案は以上の課題を解決すべく開発されたものである。
すなわち、本考案の目的は、必要な時に外し易く且つ体の冷えから確実に守ることができる防寒ショーツを提供することである。
【課題を解決するための手段】
【０００５】
本考案者は、以上のような課題背景をもとに鋭意研究を重ねた結果、着用者の胴体を周囲から覆う胴体部と、着用者の下腹部及び臀部を覆うショーツ部とを接合して一体化すること、前記胴体部の上端を使用者のアンダーバストに位置させショーツ部を切り離し自在にすること、により、従来の問題点（課題）を解決できることを見出し、その知見に基づいて本考案を完成させたものである。
【０００６】
すなわち、本考案は、（１）、着用者の胴部を周囲から覆う胴体部と、着用者の下腹部及び臀部を覆うショーツ部と、が接合されて一体化している伸縮性を有する防寒ショーツであって、前記胴体部の上端が使用者のアンダーバストに位置するものである防寒ショーツに存する。  
【０００７】
また、本考案は、（２）、前記ショーツ部が前下腹部体と後下臀部体とからなり、前記前下腹部体と前記前下腹部とが固定手段により切り離し可能になっている上記（１）に記載の防寒ショーツに存する。
【０００８】
また、本考案は、（３）、前記後下臀部体が前記前下腹部体よりも長く、後下臀部体の中央先端部と前下臀部体の中央先端部とが、着用者の前面で固定される上記（２）に記載の防寒ショーツに存する。
【０００９】
また、本考案は、（４）、前記前下腹部体が着用者の股間を覆う中央カバー体と、該中央カバー体の両側端に接合される鼠径部当接片とからなる上記（１）に記載の防寒ショーツに存する。
【００１０】
また、本考案は、（５）、前記鼠径部当接片の緩み部と前記後下臀部体の縁で着用者が足を出すためのレッグホールが形成されている上記（４）に記載の防寒ショーツに存する。
【００１１】
また、本考案は、（６）、前記胴体部の体側部が内側に湾曲しくびれ部が形成されている上記（１）に記載の防寒ショーツに存する。
【００１２】
また、本考案は、（７）、前記胴体部を二重の布帛に空間層を形成し、該空間層を前胴体部の空間層と後胴体部の空間層とを連通させて胴体部の共通の空間層とし、且つ前胴体部や後胴体部の上端部は折り返しとした上記（１）に記載の防寒ショーツに存する。  
【００１３】
また、本考案は、（８）、前記固定手段がスナップボタンである上記（２）に記載の防寒ショーツに存する。
【００１４】
また、本考案は、（９）、前記ショーツ部が前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で固定され、後下臀部体の中央先端部に設けられた固定手段の位置から延長するように自由端片が形成されている上記（１）に記載の防寒ショーツに存する。
【００１５】
また、本考案は、（１０）、前記自由端片が取り外し自在となっている上記（１）に記載の防寒ショーツに存する。
【００１６】
また、本考案は、（１１）、着用者の胴部を周囲から覆う胴体部と、着用者の下腹部及び臀部を覆うショーツ部と、が接合されて一体化している伸縮性を有する防寒ショーツであって、胴体部の体側部が内側に湾曲しくびれ部が形成されており、前記胴体部の上端が使用者のアンダーバストに位置し、前記ショーツ部が前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で前上に取り付けられ、前記鼠径部当接片の緩み部と前記後下臀部体の縁で着用者が足を出すためのレッグホールが形成され、前記胴体部を二重の布帛にして空間層を形成し、該空間層を前胴体部の空間層と後胴体部の空間層とを連通させて胴体部の共通の空間層としている上記（１）に記載の防寒ショーツに存する。
【００１７】
なお、本考案の目的に添ったものであれば上記（１）から（１１）を適宜組み合わせた構成も採用可能である。
【考案の効果】
【００１８】
本考案の防寒ショーツは伸縮性を有し、ショーツ部と胴体部とが接合されて一体化し、且つ胴体部の上端がアンダーバストに位置するものであるので、着用者の胴回りを広く覆うことができる。
そのため、例えば、授乳期の母親が授乳時に着衣をたくし上げ、胸を露出した場合でも、母親の体を冷えから極力守ることができる。
【００１９】
そして、本考案の防寒ショーツの前下腹部体と後下臀部体とが股下となる部分、すなわちクロッチ部は固定手段により切り離し可能になっていることで、例えば、トイレに行った際には、この防寒ショーツを足元まで下ろす替わりに、クロッチ部を開くことで容易に用を足すことができる。
【００２０】
本考案の胴体部の体側部は、内側に湾曲しくびれ部が形成されていることにより、胴体部の伸縮性が強化され、アンダーバストの位置まで胴体部の人体に対する密着度が向上する。
そのため、本考案の着用者が激しく動いたとしても、胴体部がずり下がることはない。
また、ゴム紐等を一部に用いて胴体部と、人体との密着度を強制的に高めた場合とは異なり、本考案の胴体部はそれ自体が持つ伸縮性を利用して人体と密着しているので、フィット性が良く、着用者は体に圧迫感を殆ど感じることなく着用することができる。
【００２１】
鼠径部当接片の緩み部と、前記後下臀部体の縁で着用者が足を出すためのレッグホールが形成されているので、椅子等に座っても、鼠径部を強く圧することがない。
【００２２】
後下臀部体の中央先端部に設けられた固定手段の位置から、延長するように自由端片が形成されていることで、生理用パットに当接してその状態を安定させる。
また、パットからの汚れを表面に、極力ショーツ部に伝えない。
【００２３】
自由端片が取り外し自在となっていることにより、各着用者に合った異なった仕様の自由端片を適用できる利点がある。
【００２４】
本考案の胴体部を二重の布帛にし空間層を形成し、該空間層を前胴体部の空間層と後胴体部の空間層とを連通させて胴体部の共通の空間層とした場合、布帛と布帛との間に空気層ができ、空気が閉じ込められるため、その空気が断熱材の役割を果たし、胴体部の保温効果が向上する。
また、空気が前後に行き渡るため、身体の前後で冷え方が異なることがない。
また、接合部（体側部）が堅く感じるようなことがない。
更にまた、前胴体部２１と後胴体部２２とを二重の布帛（内側の布帛と外側の布帛）で形成した場合、前胴体部２１や後胴体部２２の上端部は折り返している（いわゆる輪にしている）ので、アンダーバスト付近が堅く感じることが無い。
【考案を実施するための最良の形態】
【００２５】
〔第一の実施形態〕
以下、本考案の一実施形態を、図面を用いて説明する。
図１は、本実施形態の防寒ショーツの前後の展開図である。
図２は、本実施形態の防寒ショーツの正面図及び背面図である
図３は、本実施形態の防寒ショーツの斜視図であり、図３（ａ）はクロッチ部が開いた状態を示し、図３（ｂ）はクロッチ部が閉じた状態を示す。
図４は、本考案の防寒ショーツを着用して椅子に座った状態を示す。
【００２６】
図に示すように、本実施形態の防寒ショーツＡは、主として着用者の下腹部及び臀部を覆うショーツ部１と、該ショーツ部１に接合され着用者の胴体をその周囲から覆う胴体部２とよりなり、ショーツ部１にはクロッチ部１２Ａを閉じるための固定手段３を備える。
なお、前述のように、クロッチ部１２Ａとはショーツ部１において着用者の股が当接する部分一帯のことである。
【００２７】
まずショーツ部１について述べると、ショーツ部１は着用者の下腹部を覆う前下腹部体１１と、臀部（下腹部の後面）を覆う後下臀部体１２とからなり、これら二つは着用者の体側で接合される。
後下臀部体１２は股間部に当接する台形状のクロッチ部（「シック部」とも云う）１２Ａを備える。
該クロッチ部１２Ａは、後下臀部体本体１２Ｂと接合される構造であるので、損傷しやすいクロッチ部１２Ａのみを特殊強度のある股布素材を採用することができる。
【００２８】
また、前下腹部体１１は下腹部の中央を覆おう中央カバー体１１Ａと、その中央カバー体１１Ａの両側端に接合され股関節の周辺すなわち鼠径部を覆う鼠径部当接片１１Ｂとからなる。
なお、中央カバー体１１Ａの形状は略三角形状であり、鼠径部当接片１１Ｂの形状は略三日月状をしている。
そして、鼠径部当接片１１Ｂの一部は中央カバー体１１Ａに接合され、他の一部は胴体部２に接合される。
このように、鼠径部当接片１１Ｂはその一部を胴体部２に接合するようにしたので、鼠径部当接片１１Ｂ（特に幅）を広く取ることができる。
【００２９】
鼠径部当接片１１Ｂの縁（いわゆる三日月の弦に相当する部分）と後下臀部体１２の縁とにより、着用者が足を出すためのレッグホールＨが形成される。
この場合、後下臀部体１２の縁にはロックミシン縫いが施されるためにその部分が強化され伸縮性も向上する。
鼠径部当接片１１Ｂの縁にはロックミシン縫いを施さないため緩み部１１Ｂ１が形成される。
【００３０】
前下腹部体１１が鼠径部当接片１１Ｂを備えることにより、鼠径部当接片１１Ｂが防寒ショーツＡの着用者の股関節周辺である鼠径部を覆うので、防寒ショーツＡとしての防寒効果が向上する。
一方、鼠径部当接片１１Ｂには緩み部１１Ｂ１が形成されているので、着用者が座った場合に、鼠径部当接片１１Ｂが股関節周辺を強く圧迫することがない（図４参照）。
また、圧迫感を嫌う授乳期の母親や妊婦等にとってはより有用である。
【００３１】
ところで、本考案の防寒ショーツＡは、前下腹部体１１と後下臀部体１２とが固定手段３により切り離し可能になっている。
すなわち前下腹部体１１の中央先端部、及び後下臀部体１２の中央先端部には、固定手段３が設けられており、これによりクロッチ部１２Ａは、固定手段を外すことにより取り付けられた状態から切り離しが可能である。
【００３２】
本実施形態の防寒ショーツＡの場合、前下腹部体１１と胴体部２との接合部分から、前下腹部体１１の中央先端部までの長さが、後下臀部体１２と胴体部２との接合部分から後下臀部体１２の中央先端部までの長さよりも短くなっており、前下腹部体１１及び後下臀部体１２のそれぞれの中央先端部に固定手段３が取り付けられている。
従って、本実施形態の防寒ショーツＡのクロッチ部１２Ａを留めるときは、後下臀部体１２の中央先端部を手前側に引き出し、後下臀部体１２の固定手段３の上に前下腹部体１１の固定手段３を重ねるようにして、前上に取り付ける。
【００３３】
固定手段３の種類は、特に限定されるものではないが、着用者の装着感を損ねず、且つ簡単にクロッチ部１２Ａの開閉、すなわち取り付け又は取り外しを簡単にできるスナップボタンが固定手段３として好ましい。
このスナップボタンの数も前下腹部体１１や後下臀部体１２の中央先端部の幅の取り方により適宜選択される。
【００３４】
次に、胴体部２について述べる。
胴体部２は、着用者の胴体を前面から覆ってアンダーバストの位置まで隠す前胴体部２１と、胴体を後面から覆って背中を隠す後胴体部２２とからなり、これら二つは着用者の体側で接合されている。
そのため、胴体部２は従来の腹巻よりも上下丈が長く、そのため胴体部分を覆う面積が大きく保温効果が優れたものとなっている。
そして、胴体部２がこのような長さであることにより、胴体部２と着用者の後背部との密着性が高まり、例えば、後下臀部体１２が強く引っ張られた場合でも、胴体部全体がずり下がることがない。
ところで、前胴体部２１と後胴体部２２とが接合された状態では、接合部（すなわち体側部）が内側に湾曲している。
そのため胴体部２の周りが立体的に湾曲されくびれ部Ｋが形成される。
【００３５】
このように、くびれ部Ｋが形成されることにより、胴体部２が着用者の腰の括れに応じてフィットし体全体に対して適度な圧力を加えることができる。
その結果、胴体部２と着用者の胴体との密着度が増し、着用者が激しい動きを行っても胴体部２がずり下がるようなこと等が防止される。
【００３６】
胴体部２に積極的に、ゴム紐等を入れて胴体部２と胴体との密着度を局部的に高めた場合とは異なり、胴体部２自体が有する伸縮性を利用して密着度を高めているため、着用者の胴体に加わる締め付け力がアンダーバストまである胴体部２のずり下がりを防止する。
従って、着用者はアンダーバストまで確実に覆った状態のまま、支障なく呼吸運動等を行える。
【００３７】
また、胴体部２に使う布帛素材については後述する。
この胴体部は、前胴体部２１と後胴体部２２とを二重の布帛（内側の布帛と外側の布帛）にし空間層を形成することが好ましい。
この場合、内外の布帛と布帛との間に形成された空間層に空気が閉じ込められるため、その空気が断熱材の役割を果たし、胴体部の保温効果が向上する
特に、前胴体部２１と後胴体部２２とを接合する際、接合部（体側部）で内側の布帛と外側の布帛を縫わないで、空間層を前胴体部２１の空間層と後胴体部２２の空間層とを連通させて胴部体部の共通の空間層を作ることがより好ましい。
【００３８】
この場合、空気が前後に行き渡るため、身体の前後で冷え方が異なることがない。
また、接合部（体側部）が堅く感じるようなことがない。
更にまた、前胴体部２１と後胴体部２２とを二重の布帛（内側の布帛と外側の布帛）で形成した場合、前胴体部２１や後胴体部２２の上端部は折り返している（いわゆる輪にしている）ので、アンダーバスト付近が堅く感じることが無い。
また、二重の布帛であると、いわゆる「こし」が出るため、アンダーバスト付近のずり落ち等が防止される。
【００３９】
ところで、ショーツ部１や胴体部２の布帛素材は織り地や編み地等が使用され特に限定されるものではないが、中でも編み地が好ましく、伸縮糸〔（綿糸、ポリウレタン糸、ポリアミド（ナイロン６６等）糸等〕を使ったメリヤス編み地がより好ましい。
例えば、綿糸９０％、ポリアミド糸１０％を使ったメリヤス編み地は、吸湿性、伸縮性との観点が優れたものとなる。
このような素材は、伸縮性に加え屈曲性も優れているため肌によくフィットし、また布組織内部に空気を含み易いため通常の生地よりも保温性が高く、肌に直接接触する防寒ショーツの素材として好適である。
【００４０】
ショーツ部１と胴体部２、ショーツ部１の前下腹部体１１と後下臀部体１２、前下腹部体１１における中央カバー部１１Ａと鼠径部当接片１１Ｂ、後下臀部体１２におけるクロッチ部１２Ａと後下臀部体本体１２Ｂ、等の接合は、ロックミシン縫いを施して接合することが好ましい。
これにより、接合部が強化され伸縮性も発揮できる。
また、防寒ショーツ全体として保型性がより向上する。
【００４１】
〔第二の実施形態〕
図５は、後下臀部体１２の中央先端部に取り付けられている固定部材の位置から更に延長する自由端片１２Ａ１が形成されている防寒ショーツの要部を示す図である。
図５（ａ）はクロッチ部が開いた状態、図５（ｂ）は自由端片１２Ａ１を裏側から見た状態、図５（ｃ）はクロッチ部が閉じた状態を示す。
【００４２】
図５に示す延長する部分、すなわち自由端片１２Ａ１は、後下臀部体１２と前下腹部体１１とが固定された場合（この場合は後下臀部体１２に前下腹部体１１を上方から取り付ける）、生理用パットに当接してその状態を安定させる。
また、パットからの汚れを表面に、極力ショーツ部に伝えないようにする。
この自由端片１２Ａ１は、そのまま中央カバー体１１Ａの裏側に沿わせるように配置する使用方法や、一旦折り返してクロッチ部１２Ａの裏側に沿わせるように配置する使用方法がある。
また、自由端片１２Ａ１は、それ自体厚めにして弾圧性を付与させることも可能である。
また更に、自由端片１２Ａ１は、クロッチ部１２Ａに例えばタッチファスナー（面ハスナー）等で取り外し自在とすることも可能である（図６参照）。
その場合、各着用者に合った、異なった仕様の自由端片１２Ａ１を適用できる利点がある。
【００４３】
以上、本考案を説明してきたが、本考案の防寒ショーツは、医療分野における手術後の患者、被介護者、冷え性の人、ファッション関係等、男女を問わず広く適用できる。
また、本考案は上記の実施の形態に限定されることなく種々の変形例が可能である。
例えば、上述した実施形態では、後下臀部体１２の方が長かったが、前下腹部体１１の方を長くし、前下腹部体１１の先端を後下臀部体１２の先端の上に重ねるようにしても良い。
また、クロッチ部１２Ａは後下臀部体本体１２Ｂと接合構造ではなく一体化した布帛素材で形成しても良い。
前下腹部体１１と後下臀部体１２に設ける固定手段としては、スナップボタンの他、ドットボタン、タッチファスナー、ジッパー等の採用が可能である。
【図面の簡単な説明】
【００４４】
【図１】図１は、第一の実施形態の防寒ショーツの展開図である。
【図２】図２は、第一の実施形態の防寒ショーツの正面図及び背面図である。
【図３】図３は、第一の実施形態の防寒ショーツの斜視図であり、図３（ａ）はクロッチ部が開いた状態を示し、図３（ｂ）はクロッチ部が閉じた状態を示す図である。
【図４】図４は、第一の実施形態の防寒ショーツを着用して椅子に座った状態を示す図である。
【図５】図５は、第二の実施形態の後下臀部体の中央先端部に取り付けられている固定部材の位置から更に延長する自由端片が形成されている防寒ショーツの要部を示し、（ａ）はクロッチ部が開いた状態、（ｂ）は自由端片を裏側から見た状態、（ｃ）はクロッチ部が閉じた状態を示す図である。
【図６】図６は、第二の実施形態の自由端片が取り外し自在となっている防寒ショーツの要部を示す図である。
【符号の説明】
【００４５】
１…ショーツ部
１１…前下腹部体
１１Ａ…中央カバー体
１１Ｂ…鼠径部当接片
１１Ｂ１…緩み部
１２…後下臀部体
１２Ａ…クロッチ部
１２Ａ１…自由端片
１２Ｂ…後下腹部体本体
２…胴体部
２１…前胴体部
２２…後胴体部
３…固定手段
Ｋ…くびれ部
Ｈ…レッグホール
Ａ…防寒ショーツ
【図１】
0003132958.tif 000003
【図２】
0003132958.tif 000004
【図３】
0003132958.tif 000005
【図４】
0003132958.tif 000006
【図５】
0003132958.tif 000007
【図６】
0003132958.tif 000008
【手続補正書】
【提出日】平成19年3月26日(2007.3.26)
【手続補正１】
【補正対象書類名】明細書
【補正対象項目名】０００７
【補正方法】変更
【補正の内容】
【０００７】
また、本考案は、（２）、前記ショーツ部が前下腹部体と後下臀部体とからなり、前記前下腹部体と前記後下臀部体とが固定手段により切り離し可能になっている上記（１）に記載の防寒ショーツに存する。
【手続補正２】
【補正対象書類名】明細書
【補正対象項目名】００４２
【補正方法】変更
【補正の内容】
【００４２】
図５に示す延長する部分、すなわち自由端片１２Ａ１は、後下臀部体１２と前下腹部体１１とが固定された場合（この場合は後下臀部体１２に前下腹部体１１を上方から取り付ける）、生理用パットに当接してその状態を安定させる。
また、パットからの汚れを表面に、極力ショーツ部に伝えないようにする。
この自由端片１２Ａ１は、そのまま中央カバー体１１Ａの裏側に沿わせるように配置する使用方法や、一旦折り返してクロッチ部１２Ａの裏側に沿わせるように配置する使用方法がある。
また、自由端片１２Ａ１は、それ自体厚めにして弾圧性を付与させることも可能である。
また更に、自由端片１２Ａ１は、クロッチ部１２Ａに例えばタッチファスナー（面ファスナー）等で取り外し自在とすることも可能である（図６参照）。
その場合、各着用者に合った、異なった仕様の自由端片１２Ａ１を適用できる利点がある。
【手続補正３】
【補正対象書類名】明細書
【補正対象項目名】００４５
【補正方法】変更
【補正の内容】
【００４５】
１…ショーツ部
１１…前下腹部体
１１Ａ…中央カバー体
１１Ｂ…鼠径部当接片
１１Ｂ１…緩み部
１２…後下臀部体
１２Ａ…クロッチ部
１２Ａ１…自由端片
１２Ｂ…後下臀部体本体
２…胴体部
２１…前胴体部
２２…後胴体部
３…固定手段
Ｋ…くびれ部
Ｈ…レッグホール
Ａ…防寒ショーツ
【手続補正書】
【提出日】平成19年4月9日(2007.4.9)
【手続補正１】
【補正対象書類名】実用新案登録請求の範囲
【補正対象項目名】全文
【補正方法】変更
【補正の内容】
【実用新案登録請求の範囲】
【請求項１】
着用者の胴部を周囲から覆う胴体部と、
着用者の下腹部及び臀部を覆うショーツ部と、が接合されて一体化している伸縮性を有する防寒ショーツであって、前記胴体部の上端が使用者のアンダーバストに位置するものであることを特徴とする防寒ショーツ。  
【請求項２】
前記ショーツ部が前下腹部体と後下臀部体とからなり、
前記前下腹部体と前記後下臀部体とが固定手段により切り離し可能になっていることを特徴とする請求項１記載の防寒ショーツ。
【請求項３】
前記後下臀部体が前記前下腹部体よりも長く、後下臀部体の中央先端部と前下腹部体の中央先端部とが、着用者の前面で固定されることを特徴とする請求項２記載の防寒ショーツ。
【請求項４】
前記前下腹部体が着用者の股間を覆う中央カバー体と、該中央カバー体の両側端に接合される鼠径部当接片とからなることを特徴とする請求項２記載の防寒ショーツ。
【請求項５】
前記鼠径部当接片の緩み部と前記後下臀部体の縁で着用者が足を出すためのレッグホールが形成されていることを特徴とする請求項４記載の防寒ショーツ。
【請求項６】
前記胴体部の体側部が内側に湾曲しくびれ部が形成されていることを特徴とする請求項１に記載の防寒ショーツ。  
【請求項７】
前記胴体部を二重の布帛に空間層を形成し、該空間層を前胴体部の空間層と後胴体部の空間層とを連通させて胴体部の共通の空間層とし、且つ前胴体部や後胴体部の上端部は折り返しとしたことを特徴とする請求項１に記載の防寒ショーツ。
【請求項８】
前記固定手段がスナップボタンであることを特徴とする請求項２に記載の防寒ショーツ。
【請求項９】
前記ショーツ部が前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で固定され、後下臀部体の中央先端部に設けられた固定手段の位置から延長するように自由端片が形成されていることを特徴とする請求項１記載の防寒ショーツ。
【請求項１０】
前記自由端片が取り外し自在となっていることを特徴とする請求項９記載の防寒ショーツ。
【請求項１１】
着用者の胴部を周囲から覆う胴体部と、着用者の下腹部及び臀部を覆うショーツ部と、が接合されて一体化している伸縮性を有する防寒ショーツであって、胴体部の体側部が内側に湾曲しくびれ部が形成されており、前記胴体部の上端が使用者のアンダーバストに位置し、前記ショーツ部が、着用者の股間を覆う中央カバー体及び該中央カバー体の両側端に接合される鼠径部当接片からなる前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で前上に取り付けられ、前記鼠径部当接片の緩み部と前記後下臀部体の縁で着用者が足を出すためのレッグホールが形成され、前記胴体部を二重の布帛にして空間層を形成し、該空間層を前胴体部の空間層と後胴体部の空間層とを連通させて胴体部の共通の空間層としていることを特徴とする防寒ショーツ。
【手続補正２】
【補正対象書類名】明細書
【補正対象項目名】全文
【補正方法】変更
【補正の内容】
【考案の詳細な説明】
【技術分野】
【０００１】
防寒機能を備えた下着に関する。
【背景技術】
【０００２】
従来、身体が冷えて体温が低下するのを防ぐため種々の防寒衣が上市されている。
特に、重要な腹部を冷やさないためにその上を覆う腹巻は、形がシンプルであることから広く利用されている。
しかし、通常、腹巻の形状は単純な円筒状であるために、腹巻自体が腹部の肌面を滑り易く、着用位置が不安定である。
その結果、起床中、或いは寝床中であっても、着用者の様々な動作に応じて腹巻はずり上がったり、或いは、ずり下がったりして安定した状態が維持できない。
そのため、腹巻が持つ防寒の機能が十分に発揮されないのである。
【０００３】
このような問題を解決するために、既にショーツと腹巻とが接合され、一体化された下着（いわゆる「腹巻きパンツ」）が開発されている（特許文献１、特許文献２参照）。
腹巻がショーツと一体化されたことにより、腹巻のずり上がりが防止されて着用位置が安定し、確実に腹部を保温することができるようになった。
そのため、例えば、母乳を与えるため頻繁に着衣をたくし上げることが多い授乳期の母親等には有用である。
【特許文献１】実用新案登録第３１１０４３６号
【特許文献２】実開平７−９９０４号公報
【考案の開示】
【考案が解決しようとする課題】
【０００４】
しかし、上述した下着を外す必要がある場合、例えば、着用してトイレに行くような場合、腹巻がショーツと一体化しているために非常に脱ぎ難く、その作業が煩わしい。
また、腹巻の部分が短いため、授乳期の母親の場合、授乳時に着衣を乳房の上までたくし上げた場合、バスト下部が露出し冷え易い欠点もある。
本考案は以上の課題を解決すべく開発されたものである。
すなわち、本考案の目的は、必要な時に外し易く且つ体の冷えから確実に守ることができる防寒ショーツを提供することである。
【課題を解決するための手段】
【０００５】
本考案者は、以上のような課題背景をもとに鋭意研究を重ねた結果、着用者の胴体を周囲から覆う胴体部と、着用者の下腹部及び臀部を覆うショーツ部とを接合して一体化すること、前記胴体部の上端を使用者のアンダーバストに位置させショーツ部を切り離し自在にすること、により、従来の問題点（課題）を解決できることを見出し、その知見に基づいて本考案を完成させたものである。
【０００６】
すなわち、本考案は、（１）、着用者の胴部を周囲から覆う胴体部と、着用者の下腹部及び臀部を覆うショーツ部と、が接合されて一体化している伸縮性を有する防寒ショーツであって、前記胴体部の上端が使用者のアンダーバストに位置するものである防寒ショーツに存する。  
【０００７】
また、本考案は、（２）、前記ショーツ部が前下腹部体と後下臀部体とからなり、前記前下腹部体と前記後下臀部体とが固定手段により切り離し可能になっている上記（１）に記載の防寒ショーツに存する。
【０００８】
また、本考案は、（３）、前記後下臀部体が前記前下腹部体よりも長く、後下臀部体の中央先端部と前下腹部体の中央先端部とが、着用者の前面で固定される上記（２）に記載の防寒ショーツに存する。
【０００９】
また、本考案は、（４）、前記前下腹部体が着用者の股間を覆う中央カバー体と、該中央カバー体の両側端に接合される鼠径部当接片とからなる上記（２）に記載の防寒ショーツに存する。
【００１０】
また、本考案は、（５）、前記鼠径部当接片の緩み部と前記後下臀部体の縁で着用者が足を出すためのレッグホールが形成されている上記（４）に記載の防寒ショーツに存する。
【００１１】
また、本考案は、（６）、前記胴体部の体側部が内側に湾曲しくびれ部が形成されている上記（１）に記載の防寒ショーツに存する。
【００１２】
また、本考案は、（７）、前記胴体部を二重の布帛に空間層を形成し、該空間層を前胴体部の空間層と後胴体部の空間層とを連通させて胴体部の共通の空間層とし、且つ前胴体部や後胴体部の上端部は折り返しとした上記（１）に記載の防寒ショーツに存する。  
【００１３】
また、本考案は、（８）、前記固定手段がスナップボタンである上記（２）に記載の防寒ショーツに存する。
【００１４】
また、本考案は、（９）、前記ショーツ部が前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で固定され、後下臀部体の中央先端部に設けられた固定手段の位置から延長するように自由端片が形成されている上記（１）に記載の防寒ショーツに存する。
【００１５】
また、本考案は、（１０）、前記自由端片が取り外し自在となっている上記（９）に記載の防寒ショーツに存する。
【００１６】
また、本考案は、（１１）、着用者の胴部を周囲から覆う胴体部と、着用者の下腹部及び臀部を覆うショーツ部と、が接合されて一体化している伸縮性を有する防寒ショーツであって、胴体部の体側部が内側に湾曲しくびれ部が形成されており、前記胴体部の上端が使用者のアンダーバストに位置し、前記ショーツ部が、着用者の股間を覆う中央カバー体及び該中央カバー体の両側端に接合される鼠径部当接片からなる前下腹部体と後下臀部体とからなり、前記前下腹部体と前記後下臀部体とが固定手段により切り離し可能であり、前記後下臀部体が前記前下腹部体よりも長く、後下臀部体の中央先端部と前下腹部体の中央先端部とが、着用者の前面で前上に取り付けられ、前記鼠径部当接片の緩み部と前記後下臀部体の縁で着用者が足を出すためのレッグホールが形成され、前記胴体部を二重の布帛にして空間層を形成し、該空間層を前胴体部の空間層と後胴体部の空間層とを連通させて胴体部の共通の空間層としている防寒ショーツに存する。
【００１７】
なお、本考案の目的に添ったものであれば上記（１）から（１１）を適宜組み合わせた構成も採用可能である。
【考案の効果】
【００１８】
本考案の防寒ショーツは伸縮性を有し、ショーツ部と胴体部とが接合されて一体化し、且つ胴体部の上端がアンダーバストに位置するものであるので、着用者の胴回りを広く覆うことができる。
そのため、例えば、授乳期の母親が授乳時に着衣をたくし上げ、胸を露出した場合でも、母親の体を冷えから極力守ることができる。
【００１９】
そして、本考案の防寒ショーツの前下腹部体と後下臀部体とが股下となる部分、すなわちクロッチ部は固定手段により切り離し可能になっていることで、例えば、トイレに行った際には、この防寒ショーツを足元まで下ろす替わりに、クロッチ部を開くことで容易に用を足すことができる。
【００２０】
本考案の胴体部の体側部は、内側に湾曲しくびれ部が形成されていることにより、胴体部の伸縮性が強化され、アンダーバストの位置まで胴体部の人体に対する密着度が向上する。
そのため、本考案の着用者が激しく動いたとしても、胴体部がずり下がることはない。
また、ゴム紐等を一部に用いて胴体部と、人体との密着度を強制的に高めた場合とは異なり、本考案の胴体部はそれ自体が持つ伸縮性を利用して人体と密着しているので、フィット性が良く、着用者は体に圧迫感を殆ど感じることなく着用することができる。
【００２１】
鼠径部当接片の緩み部と、前記後下臀部体の縁で着用者が足を出すためのレッグホールが形成されているので、椅子等に座っても、鼠径部を強く圧することがない。
【００２２】
後下臀部体の中央先端部に設けられた固定手段の位置から、延長するように自由端片が形成されていることで、生理用パットに当接してその状態を安定させる。
また、パットからの汚れを表面に、極力ショーツ部に伝えない。
【００２３】
自由端片が取り外し自在となっていることにより、各着用者に合った異なった仕様の自由端片を適用できる利点がある。
【００２４】
本考案の胴体部を二重の布帛にし空間層を形成し、該空間層を前胴体部の空間層と後胴体部の空間層とを連通させて胴体部の共通の空間層とした場合、布帛と布帛との間に空気層ができ、空気が閉じ込められるため、その空気が断熱材の役割を果たし、胴体部の保温効果が向上する。
また、空気が前後に行き渡るため、身体の前後で冷え方が異なることがない。
また、接合部（体側部）が堅く感じるようなことがない。
更にまた、前胴体部２１と後胴体部２２とを二重の布帛（内側の布帛と外側の布帛）で形成した場合、前胴体部２１や後胴体部２２の上端部は折り返している（いわゆる輪にしている）ので、アンダーバスト付近が堅く感じることが無い。
【考案を実施するための最良の形態】
【００２５】
〔第一の実施形態〕
以下、本考案の一実施形態を、図面を用いて説明する。
図１は、本実施形態の防寒ショーツの前後の展開図である。
図２は、本実施形態の防寒ショーツの正面図及び背面図である
図３は、本実施形態の防寒ショーツの斜視図であり、図３（ａ）はクロッチ部が開いた状態を示し、図３（ｂ）はクロッチ部が閉じた状態を示す。
図４は、本考案の防寒ショーツを着用して椅子に座った状態を示す。
【００２６】
図に示すように、本実施形態の防寒ショーツＡは、主として着用者の下腹部及び臀部を覆うショーツ部１と、該ショーツ部１に接合され着用者の胴体をその周囲から覆う胴体部２とよりなり、ショーツ部１にはクロッチ部１２Ａを閉じるための固定手段３を備える。
なお、前述のように、クロッチ部１２Ａとはショーツ部１において着用者の股が当接する部分一帯のことである。
【００２７】
まずショーツ部１について述べると、ショーツ部１は着用者の下腹部を覆う前下腹部体１１と、臀部（下腹部の後面）を覆う後下臀部体１２とからなり、これら二つは着用者の体側で接合される。
後下臀部体１２は股間部に当接する台形状のクロッチ部（「シック部」とも云う）１２Ａを備える。
該クロッチ部１２Ａは、後下臀部体本体１２Ｂと接合される構造であるので、損傷しやすいクロッチ部１２Ａのみを特殊強度のある股布素材を採用することができる。
【００２８】
また、前下腹部体１１は下腹部の中央を覆おう中央カバー体１１Ａと、その中央カバー体１１Ａの両側端に接合され股関節の周辺すなわち鼠径部を覆う鼠径部当接片１１Ｂとからなる。
なお、中央カバー体１１Ａの形状は略三角形状であり、鼠径部当接片１１Ｂの形状は略三日月状をしている。
そして、鼠径部当接片１１Ｂの一部は中央カバー体１１Ａに接合され、他の一部は胴体部２に接合される。
このように、鼠径部当接片１１Ｂはその一部を胴体部２に接合するようにしたので、鼠径部当接片１１Ｂ（特に幅）を広く取ることができる。
【００２９】
鼠径部当接片１１Ｂの縁（いわゆる三日月の弦に相当する部分）と後下臀部体１２の縁とにより、着用者が足を出すためのレッグホールＨが形成される。
この場合、後下臀部体１２の縁にはロックミシン縫いが施されるためにその部分が強化され伸縮性も向上する。
鼠径部当接片１１Ｂの縁にはロックミシン縫いを施さないため緩み部１１Ｂ１が形成される。
【００３０】
前下腹部体１１が鼠径部当接片１１Ｂを備えることにより、鼠径部当接片１１Ｂが防寒ショーツＡの着用者の股関節周辺である鼠径部を覆うので、防寒ショーツＡとしての防寒効果が向上する。
一方、鼠径部当接片１１Ｂには緩み部１１Ｂ１が形成されているので、着用者が座った場合に、鼠径部当接片１１Ｂが股関節周辺を強く圧迫することがない（図４参照）。
また、圧迫感を嫌う授乳期の母親や妊婦等にとってはより有用である。
【００３１】
ところで、本考案の防寒ショーツＡは、前下腹部体１１と後下臀部体１２とが固定手段３により切り離し可能になっている。
すなわち前下腹部体１１の中央先端部、及び後下臀部体１２の中央先端部には、固定手段３が設けられており、これによりクロッチ部１２Ａは、固定手段を外すことにより取り付けられた状態から切り離しが可能である。
【００３２】
本実施形態の防寒ショーツＡの場合、前下腹部体１１と胴体部２との接合部分から、前下腹部体１１の中央先端部までの長さが、後下臀部体１２と胴体部２との接合部分から後下臀部体１２の中央先端部までの長さよりも短くなっており、前下腹部体１１及び後下臀部体１２のそれぞれの中央先端部に固定手段３が取り付けられている。
従って、本実施形態の防寒ショーツＡのクロッチ部１２Ａを留めるときは、後下臀部体１２の中央先端部を手前側に引き出し、後下臀部体１２の固定手段３の上に前下腹部体１１の固定手段３を重ねるようにして、前上に取り付ける。
【００３３】
固定手段３の種類は、特に限定されるものではないが、着用者の装着感を損ねず、且つ簡単にクロッチ部１２Ａの開閉、すなわち取り付け又は取り外しを簡単にできるスナップボタンが固定手段３として好ましい。
このスナップボタンの数も前下腹部体１１や後下臀部体１２の中央先端部の幅の取り方により適宜選択される。
【００３４】
次に、胴体部２について述べる。
胴体部２は、着用者の胴体を前面から覆ってアンダーバストの位置まで隠す前胴体部２１と、胴体を後面から覆って背中を隠す後胴体部２２とからなり、これら二つは着用者の体側で接合されている。
そのため、胴体部２は従来の腹巻よりも上下丈が長く、そのため胴体部分を覆う面積が大きく保温効果が優れたものとなっている。
そして、胴体部２がこのような長さであることにより、胴体部２と着用者の後背部との密着性が高まり、例えば、後下臀部体１２が強く引っ張られた場合でも、胴体部全体がずり下がることがない。
ところで、前胴体部２１と後胴体部２２とが接合された状態では、接合部（すなわち体側部）が内側に湾曲している。
そのため胴体部２の周りが立体的に湾曲されくびれ部Ｋが形成される。
【００３５】
このように、くびれ部Ｋが形成されることにより、胴体部２が着用者の腰の括れに応じてフィットし体全体に対して適度な圧力を加えることができる。
その結果、胴体部２と着用者の胴体との密着度が増し、着用者が激しい動きを行っても胴体部２がずり下がるようなこと等が防止される。
【００３６】
胴体部２に積極的に、ゴム紐等を入れて胴体部２と胴体との密着度を局部的に高めた場合とは異なり、胴体部２自体が有する伸縮性を利用して密着度を高めているため、着用者の胴体に加わる締め付け力がアンダーバストまである胴体部２のずり下がりを防止する。
従って、着用者はアンダーバストまで確実に覆った状態のまま、支障なく呼吸運動等を行える。
【００３７】
また、胴体部２に使う布帛素材については後述する。
この胴体部は、前胴体部２１と後胴体部２２とを二重の布帛（内側の布帛と外側の布帛）にし空間層を形成することが好ましい。
この場合、内外の布帛と布帛との間に形成された空間層に空気が閉じ込められるため、その空気が断熱材の役割を果たし、胴体部の保温効果が向上する
特に、前胴体部２１と後胴体部２２とを接合する際、接合部（体側部）で内側の布帛と外側の布帛を縫わないで、空間層を前胴体部２１の空間層と後胴体部２２の空間層とを連通させて胴部体部の共通の空間層を作ることがより好ましい。
【００３８】
この場合、空気が前後に行き渡るため、身体の前後で冷え方が異なることがない。
また、接合部（体側部）が堅く感じるようなことがない。
更にまた、前胴体部２１と後胴体部２２とを二重の布帛（内側の布帛と外側の布帛）で形成した場合、前胴体部２１や後胴体部２２の上端部は折り返している（いわゆる輪にしている）ので、アンダーバスト付近が堅く感じることが無い。
また、二重の布帛であると、いわゆる「こし」が出るため、アンダーバスト付近のずり落ち等が防止される。
【００３９】
ところで、ショーツ部１や胴体部２の布帛素材は織り地や編み地等が使用され特に限定されるものではないが、中でも編み地が好ましく、伸縮糸〔（綿糸、ポリウレタン糸、ポリアミド（ナイロン６６等）糸等〕を使ったメリヤス編み地がより好ましい。
例えば、綿糸９０％、ポリアミド糸１０％を使ったメリヤス編み地は、吸湿性、伸縮性との観点が優れたものとなる。
このような素材は、伸縮性に加え屈曲性も優れているため肌によくフィットし、また布組織内部に空気を含み易いため通常の生地よりも保温性が高く、肌に直接接触する防寒ショーツの素材として好適である。
【００４０】
ショーツ部１と胴体部２、ショーツ部１の前下腹部体１１と後下臀部体１２、前下腹部体１１における中央カバー部１１Ａと鼠径部当接片１１Ｂ、後下臀部体１２におけるクロッチ部１２Ａと後下臀部体本体１２Ｂ、等の接合は、ロックミシン縫いを施して接合することが好ましい。
これにより、接合部が強化され伸縮性も発揮できる。
また、防寒ショーツ全体として保型性がより向上する。
【００４１】
〔第二の実施形態〕
図５は、後下臀部体１２の中央先端部に取り付けられている固定部材の位置から更に延長する自由端片１２Ａ１が形成されている防寒ショーツの要部を示す図である。
図５（ａ）はクロッチ部が開いた状態、図５（ｂ）は自由端片１２Ａ１を裏側から見た状態、図５（ｃ）はクロッチ部が閉じた状態を示す。
【００４２】
図５に示す延長する部分、すなわち自由端片１２Ａ１は、後下臀部体１２と前下腹部体１１とが固定された場合（この場合は後下臀部体１２に前下腹部体１１を上方から取り付ける）、生理用パットに当接してその状態を安定させる。
また、パットからの汚れを表面に、極力ショーツ部に伝えないようにする。
この自由端片１２Ａ１は、そのまま中央カバー体１１Ａの裏側に沿わせるように配置する使用方法や、一旦折り返してクロッチ部１２Ａの裏側に沿わせるように配置する使用方法がある。
また、自由端片１２Ａ１は、それ自体厚めにして弾圧性を付与させることも可能である。
また更に、自由端片１２Ａ１は、クロッチ部１２Ａに例えばタッチファスナー（面ファスナー）等で取り外し自在とすることも可能である（図６参照）。
その場合、各着用者に合った、異なった仕様の自由端片１２Ａ１を適用できる利点がある。
【００４３】
以上、本考案を説明してきたが、本考案の防寒ショーツは、医療分野における手術後の患者、被介護者、冷え性の人、ファッション関係等、男女を問わず広く適用できる。
また、本考案は上記の実施の形態に限定されることなく種々の変形例が可能である。
例えば、上述した実施形態では、後下臀部体１２の方が長かったが、前下腹部体１１の方を長くし、前下腹部体１１の先端を後下臀部体１２の先端の上に重ねるようにしても良い。
また、クロッチ部１２Ａは後下臀部体本体１２Ｂと接合構造ではなく一体化した布帛素材で形成しても良い。
前下腹部体１１と後下臀部体１２に設ける固定手段としては、スナップボタンの他、ドットボタン、タッチファスナー、ジッパー等の採用が可能である。
【図面の簡単な説明】
【００４４】
【図１】図１は、第一の実施形態の防寒ショーツの展開図である。
【図２】図２は、第一の実施形態の防寒ショーツの正面図及び背面図である。
【図３】図３は、第一の実施形態の防寒ショーツの斜視図であり、図３（ａ）はクロッチ部が開いた状態を示し、図３（ｂ）はクロッチ部が閉じた状態を示す図である。
【図４】図４は、第一の実施形態の防寒ショーツを着用して椅子に座った状態を示す図である。
【図５】図５は、第二の実施形態の後下臀部体の中央先端部に取り付けられている固定部材の位置から更に延長する自由端片が形成されている防寒ショーツの要部を示し、（ａ）はクロッチ部が開いた状態、（ｂ）は自由端片を裏側から見た状態、（ｃ）はクロッチ部が閉じた状態を示す図である。
【図６】図６は、第二の実施形態の自由端片が取り外し自在となっている防寒ショーツの要部を示す図である。
【符号の説明】
【００４５】
１…ショーツ部
１１…前下腹部体
１１Ａ…中央カバー体
１１Ｂ…鼠径部当接片
１１Ｂ１…緩み部
１２…後下臀部体
１２Ａ…クロッチ部
１２Ａ１…自由端片
１２Ｂ…後下臀部体本体
２…胴体部
２１…前胴体部
２２…後胴体部
３…固定手段
Ｋ…くびれ部
Ｈ…レッグホール
Ａ…防寒ショーツ